(57)【要約】      （修正有）【課題】フラットパネルの荷重やフラットパネル入れにかかった振動、揺動などを吸収することができ、フラットパネルを撓むことなく、損傷を低減することができるフラットパネル入れを提供する。【解決手段】緩衝部材と緩衝部材とによりフラットパネル入れ１００の振動などを緩和緩衝し、フラットパネルの破損を免れフラットパネルを安定に積載し搬送することができる。【選択図】図１
0003141556.tif 000002
【実用新案登録請求の範囲】
【請求項１】
複数枚のフラットパネルを一度に積み重ねて保持するフラットパネル入れであって、
前記フラットパネルを積めるように、複数の枠フレームを積層した長方形の台座からなり、
前記台座の複数の枠フレームにおける一番上の第１の枠フレームを同第１の枠フレームと隣接する下の第２の枠フレームより一回り小さく形成し、前記第１の枠フレーム上に定位係止させるための第１の係止要素を設け、
前記第２の枠フレーム上の複数箇所に、前記第１の枠フレームの第１の係止要素と互いに係止する第２の係止要素を設け、４隅に角穴を設け、前記積載するフラットパネルを定位させる支柱を前記角穴に挿入可能に設け、
前記第１の枠フレーム及び前記第２の枠フレームの間に、前記第１の枠フレーム上に積載するフラットパネルによる振動を緩和する緩衝部材を設け、
前記第１の枠フレーム及び前記第２の枠フレームの間に、前記第１の枠フレーム上に積載するフラットパネルの振動高さを制限する緩和部材が設けられている
ことを特徴とするフラットパネル入れ。
【請求項２】
前記複数の枠フレームのそれぞれは、複数の横材と複数の縦材とを交互に連結してなり、
前記緩衝部材はロッド状に形成され、前記第１の枠フレーム及び前記第２の枠フレームの間に直立に設けられていることを特徴とする請求項１に記載のフラットパネル入れ。
【請求項３】
前記緩衝部材は、クッション性を有するウレタン系樹脂により形成されていることを特徴とする請求項２に記載のフラットパネル入れ。
【請求項４】
前記緩和部材は、
形材からなり、前記第１の枠フレームに固定されたＪ形の第１の制限レールと、前記第２の枠フレームに固定されたＺ形の第２の制限レールとを互いに先端部が交錯状に対向するように取り付け、
前記第２の制限レールの先端部に、ブロックを前記第１の制限レールの先端部と隙間をおいて接触せずに前記第１の制限レールの先端部側に突出して設けることを特徴とする請求項３に記載のフラットパネル入れ。
【請求項５】
前記台座の前記フラットパネルを積載する上面に、積層プレートが設けられ、
前記積層プレートとして、２枚のアルミ板を複数の開孔をハニカム状に設けたメッシュ板を挟んで貼り合わせた合板を用いることを特徴とする請求項４に記載のフラットパネル入れ。
【請求項６】
さらに、前記第１の枠フレームの外周縁に、前記積載するフラットパネルを保持定位する複数の定位金具を設け、
前記定位金具は、前記第１の枠フレームの外周縁に取り付ける取付け座と、前記取付け座と連続し前記フラットパネルと当接するストラップと、前記ストラップとヒンジ結合するフラップとからなり、
前記フラップは、断面がＬの字形になるよう折れて、上から前記積載されるフラットパネルを押えつける押え部となることを特徴とする請求項５に記載のフラットパネル入れ。
【請求項７】
前記ストラップには、前記積載するフラットパネルと当接する面に保護パッドが設けられていることを特徴とする請求項６に記載のフラットパネル入れ。
【請求項８】
さらに、底枠フレームが、腹板を介して前記第２の枠フレームの下側につながり設けられていることを特徴とする請求項７に記載のフラットパネル入れ。
【請求項９】
前記底枠フレームと腹板とをアルミ合金材料により成形し、
前記底枠フレームの地面と接触する底面に、表パッドを設けることを特徴とする請求項８に記載のフラットパネル入れ。
【請求項１０】
前記底枠フレームの少なくとも内側に切り込んで長溝を設け、
前記表パッドは、ステンレス鋼からなり、その一側部が前記長溝に嵌入され、他側部が前記底枠フレームの外側面に固定されることを特徴とする請求項９に記載のフラットパネル入れ。
【考案の詳細な説明】
【技術分野】
【０００１】
本考案は、板ガラス、ＬＣＤ基板などのフラットパネルを複数枚保持して搬送できるフラットパネル入れに関する。
【背景技術】
【０００２】
従来から、ガラス板、ＬＣＤ基板などのフラットパネルを集合収納する収納ケースが存在する（例えば特開平６−８０１１６号公報）。
【０００３】
図１０に従来のフラットパネルケースの一例を示す。このフラットパネルケースでは、サイドプレート９１，９１と、上板９２と、底板９３とによって前方に開口がある枠体が形成され、サイドプレート９１，９１の内側面に、フラットパネル８０を積載配置させるための突条９１２，９１２…が設けられ、突条９１２と隣り合う突条９１２とによりスロット９１１が形成されている。
【０００４】
フラットパネル８０は、その２側部８０１，８０１が、枠体の２側に対応するスロット９１１，９１１に差し込まれる。差し込まれたフラットパネル８０，８０…は、互いに水平に所定間隔９１４，９１４…をおいて保持される。
【特許文献１】特開平６−８０１１６号公報
【考案の開示】
【考案が解決しようとする課題】
【０００５】
このフラットパネルケースでは、フラットパネル８０の２側部８０１，８０１のみが突条９１２，９１２により支持されているので、パネルが長尺であると、２側部８０１，８０１以外の中央部分は、図１０に示した破線の部分のように、パネルの自重等により下方に撓み、フラットパネル８０の破損をきたしたり、或いは隣り合うフラットパネル８０同士がこすれあってフラットパネル８０の表面に損傷をきたすことによって、フラットパネルの製品価値が低下する問題がある。
【０００６】
また、サイドプレート９１，９１の対応するスロット９１１，９１１に、それぞれフラットパネル８０を１枚しか差し込むことができず、一度に搬送できる枚数が限られるため、効率も悪い。
【０００７】
本考案は、上記問題点に鑑みてなされたものであり、フラットパネルを複数枚一度に積むことができ、積まれたフラットパネルの表面品質を良好に保持することができるフラットパネル入れを提供することを目的とする。
【課題を解決するための手段】
【０００８】
上記目的を達成するために、本考案は、複数枚のフラットパネルを一度に積み重ねて保持するフラットパネル入れであって、前記フラットパネルを積めるように、複数の枠フレームを積層した長方形の台座からなり、前記台座の複数の枠フレームにおける一番上の第１の枠フレームを該第１の枠フレームと隣接する下の第２の枠フレームより一回り小さく形成し、且つ前記第１の枠フレーム上に定位係止させるための第１の係止要素を設け、前記第２の枠フレーム上の複数箇所には、前記第１の枠フレームの第１の係止要素と互いに係止する第２の係止要素を設け、４隅に角穴を設け、前記積載するフラットパネルを定位させる支柱を前記角穴に挿入可能に設け、前記第１の枠フレーム及び前記第２の枠フレームの間に、前記第１の枠フレーム上に積載するフラットパネルによる振動を緩和する緩衝部材を設け、前記第１の枠フレーム及び前記第２の枠フレームの間に、前記第１の枠フレーム上に積載するフラットパネルの振動高さを低減させる緩和部材を設けてなるフラットパネル入れを提供する。
【０００９】
前記フラットパネル入れにおいて、前記複数の枠フレームのそれぞれを、複数の横材と複数の縦材とを交互に連結して構成することが好ましい。
【００１０】
前記フラットパネル入れにおいて、前記緩衝部材を、ロッド状に形成し、前記第１の枠フレーム及び前記第２の枠フレームの間に垂直に設けることが好ましい。
【００１１】
前記フラットパネル入れにおいて、前記緩衝部材を、クッション性を有するウレタン系樹脂により形成することが好ましい。
【００１２】
前記フラットパネル入れの緩和部材において、形材からなり、前記第１の枠フレームに固定されたＪ形の第１の制限レールと、前記第２の枠フレームに固定されたＺ形の第２の制限レールとを互いに先端部が交錯状に対向するように取り付けることが好ましい。
【００１３】
前記フラットパネル入れにおいて、前記第２の制限レールの先端部に、ブロックを前記第１の制限レールの先端部と隙間をおいて接触せずに前記第１の制限レールの先端部側に突出して設けることが好ましい。
【００１４】
前記フラットパネル入れにおいて、前記台座の前記フラットパネルを積載する上面に、２枚のアルミ板が複数の開孔をハニカム状に設けたメッシュ板を挟んで貼り合わせた積層プレートを設けることが好ましい。
【００１５】
前記フラットパネル入れにおいて、前記第１の枠フレームの外周縁に、前記積載するフラットパネルを保持定位する複数の定位金具を設け、前記定位金具は、前記第１の枠フレームの外周縁に取り付ける取付け座と、前記取付け座と連続し前記フラットパネルと当接するストラップと、前記ストラップとヒンジ結合するフラップとからなることが好ましい。
【００１６】
前記フラットパネルのフラップは、断面がＬの字形になるよう折れて上から前記積載するフラットパネルを押えつける押え部となることが好ましい。
【００１７】
前記フラットパネル入れのストラップにおいて、前記積載するフラットパネルと当接する面に保護パッドを設けることが好ましい。
【００１８】
前記フラットパネル入れにおいて、底枠フレームを腹板を介して前記第２の枠フレームの下側につながって設けることが好ましい。
【００１９】
前記フラットパネル入れは、前記底枠フレームと腹板とをアルミ合金材料により成形し、前記底枠フレームの地面と接触する底面に、表パッドを設けることが好ましい。
【００２０】
前記フラットパネル入れにおいて、前記底枠フレームの少なくとも内側に切り込んで長溝を設け、前記表パッドは、ステンレス鋼からなり、その一側部が前記長溝に嵌入され、他側部が前記底枠フレームの外側面に固定されることが好ましい。
【考案の効果】
【００２１】
本考案のフラットパネル入れによれば、緩衝部材と緩和部材により、フラットパネルの荷重やフラットパネル入れにかかった振動、揺動などを吸収することができ、フラットパネルが撓むことなく、損傷を低減することができるので、製品価値を向上できる。
【００２２】
また、本考案のフラットパネル入れは、複数のフラットパネルを台座に積層載置できるため、一度に多くのフラットパネルを搬送することができ、効率もよい。
【考案を実施するための最良の形態】
【００２３】
以下に、本発明の好適な実施形態につき、添付の図面を参照して述べる。
【００２４】
本考案に係るフラットパネル入れ１００は、図１に示すように、複数の枠フレーム２、３を積層した長方形の台座１からなる。台座１において積層プレート４と、定位金具５と、緩衝部材６と、緩和部材７と、底枠フレーム９を設けている。
【００２５】
図２に示すように、台座１の複数の枠フレーム２、３のそれぞれは、複数の横材２４、３４と、複数の縦材２５、３５とを交互に連結してなり、複数の枠フレーム２、３における一番上の第１の枠フレーム３は、同第１の枠フレーム３に隣接する下の第２の枠フレーム２より一回り小さく形成され、且つ、第２の枠フレーム２上に係止定位させるための第１の係止要素３２を設けている。
【００２６】
第２の枠フレーム２の複数箇所２０に、第１の枠フレーム３の第１の係止要素３２と互いに係止する第２の係止要素２２を設け、また、その４隅に角穴２３を設け、積載するフラットパネル８を定位させる支柱２１を、角穴２３に挿入可能に設けている。なお、支柱２１としては、フラットパネル８の積載高さに応じて適切な高さを有するロッド材を用いるとよい。
【００２７】
また、この例においては、フラットパネル８を全面的に支持するため、第１の枠フレーム３の上面３１に積層プレート４を設けている。
【００２８】
積層プレート４としては、２枚のアルミ板４２を、複数の開孔をハニカム状に設けたメッシュ板４１を挟んで貼り合せた合板を用いる。
【００２９】
さらに、積載するフラットパネル８を保持定位するため、第１の枠フレーム３の外周縁３３に複数の定位金具５を設けている。
【００３０】
この例において、定位金具５は、第１の枠フレーム３の外周縁３３に取り付ける取付け座５１と、取付け座５１と連続しフラットパネルと当接するストラップ５２と、ストラップ５２とヒンジ結合されたフラップ５３とからなる。なお、取付け座５１としては、フラットパネル８の積載高さに応じて適切な高さを有する形材を用いるとよい。
【００３１】
定位金具５におけるフラップ５３は、折り曲げて断面がＬの字形に形成され、上から積載されるフラットパネル８を押えつける押え部となっている。
【００３２】
ストラップ５２には、積載されるフラットパネル８と当接する面に、フラットパネル８を補助保持する保護パッド５４が設けられ、積載されるフラットパネル８の定位金具５との当接面が摩損しないように保護する。
【００３３】
さらに、図５に示すように、緩衝部材６は、第１の枠フレーム３の上に積載するフラットパネル８にかかった力を緩和するように、クッション性を有するウレタン系樹脂によりロッド状に形成され、第１の枠フレーム３及び第２の枠フレーム２の間に垂直に設けられている。
【００３４】
緩和部材７は、図６に示すように、第１の枠フレーム３上に積載するフラットパネル８の振動高さを緩和するように、第１の枠フレーム３に固定されたＪ形の第１の制限レール７１と、第２の枠フレーム２に固定されたＺ形の第２の制限レール７２とが、互いの先端部７１１、７２３が交錯状に対向するように取り付けられている。また、第２の制限レール７２の折り曲げた先端７２３には、ブロック７３が、第１の制限レール７１の先端部７１１と隙間７５をおいて接触せずに、第１の制限レールの先端部７１１側に突出して設けられている。
【００３５】
図７に示すように、フラットパネル８を積層プレート４上に積層するとき、例えば、図８に示すように、緩衝部材６及び緩和部材７における隙間７５が圧縮される。また図９に示すように隙間７５がなくなるまで、緩衝部材６によってフラットパネル８の下垂れが緩衝される。
【００３６】
また、この例においては、図５に示すように、フラットパネル入れ１００の第２の枠フレーム２の下部に、底枠フレーム９が、腹板１２を介して第２の枠フレーム２とつながって設けられ、その底枠フレーム９の地面と接触する底面に、表パッド１０が設けられている（図４参照）。
【００３７】
底枠フレーム９と腹板１２とはアルミ合金材料により成形され、表パッド１０はステンレス鋼からなり、その一側部が底枠フレーム９に切り込んで形成された長溝１１に嵌入され、他側部が底枠フレーム９の外側面に固定されており、表パッド１０が摩耗したとき、表パッド１０のみを取り替えることができるようになっている。
【００３８】
以上のように構成されたフラットパネル入れ１００は、フラットパネル８を積載するとき、自重による撓みや搬送中でフラットパネル入れ１００の振動などを、緩衝部材６によって緩和緩衝することができるので、フラットパネルの破損を免れ、フラットパネルを安定に積載し搬送することができる。
【産業上の利用可能性】
【００３９】
本考案のフラットパネル入れは、積載枚数を最大限にすることができるフラットパネル入れとして有用である。
【図面の簡単な説明】
【００４０】
【図１】本考案に係るフラットパネル入れの斜視図である。
【図２】本考案に係るフラットパネル入れの分解斜視図である。
【図３】本考案に係るフラットパネル入れにフラットパネルを載置するときを示す斜視図である。
【図４】本考案に係るフラットパネル入れにおける底枠フレームの一部側面断面図である。
【図５】本考案に係るフラットパネル入れを示す側面図である。
【図６】本考案に係るフラットパネル入れにおける緩衝部材と緩和部材を示す側面図である。
【図７】本考案に係るフラットパネル入れにおける緩衝部材と緩和部材を示す側面図である。
【図８】本考案に係るフラットパネル入れにおける緩衝部材と緩和部材を示す側面図である。
【図９】本考案に係るフラットパネル入れにおける緩衝部材と緩和部材を示す側面図である。
【図１０】従来例に係るフラットパネルケースの斜視図である。
【符号の説明】
【００４１】
１００…フラットパネル入れ
１…台座
２…第２の枠フレーム
２０…複数箇所
２１…支柱
２２…第２の係止要素
２３…角穴
３…第１の枠フレーム
３１…上面
３２…第１の係止要素
３３…外周縁
２４、３４…横材
２５、３５…縦材
４…積層プレート
４２…アルミ板
４１…メッシュ板
５…定位金具
５１…取付け座
５２…ストラップ
５３…フラップ
５４…保護パッド
６…緩衝部材
７…緩和部材
７１…第１の制限レール
７１１…先端部
７２…第２の制限レール
７２３…先端部
７３…ブロック
７４…間隔
７５…隙間
８、８０…フラットパネル
８０１…側部
９…底枠フレーム
１０…表パッド
１１…長溝
１２…腹板
９１…サイドプレート
９１１…スロット
９１２…突条
９１４…間隔
９２…上板
９３…底板
【図１】
0003141556.tif 000003
【図２】
0003141556.tif 000004
【図３】
0003141556.tif 000005
【図４】
0003141556.tif 000006
【図５】
0003141556.tif 000007
【図６】
0003141556.tif 000008
【図７】
0003141556.tif 000009
【図８】
0003141556.tif 000010
【図９】
0003141556.tif 000011
【図１０】
0003141556.tif 000012